(57)【要約】【課題】送風装置を装着する装着部を、送風装置の端部を保持する複数の保持部とすることで、送風装置を衣服本体部に固定して、作業者が作業を円滑にすることができるようにする。【解決手段】衣服本体部１１内の空気を換気する送風装置３０と、前記衣服本体部１１の表面１４に設けられた前記送風装置３０を装着する装着部４０と、前記送風装置３０からの空気を流通させるための前記衣服本体部１１の表面１４と裏面１５を連通させる開口部２０と、を備える換気衣服１０において、前記装着部４０が、前記開口部２０の周囲に設けられ、前記送風装置４０の端部３５を保持する複数の保持部４１と、を備える。【選択図】図１
2019035178.tif 000002
【特許請求の範囲】
【請求項１】
衣服本体部内の空気を換気する送風装置と、前記衣服本体部の表面に設けられた前記送風装置を装着する装着部と、前記送風装置からの空気を流通させるための前記衣服本体部の表面と裏面とを連通させる開口部と、を備える換気衣服において、
前記装着部が、
前記開口部の周囲に設けられ、前記送風装置の端部を保持する複数の保持部を備えることを特徴とする換気衣服。
【請求項２】
複数の前記保持部同士の間隔が開かないように規制する規制部材を備えることを特徴とする請求項１に記載の換気衣服。
【請求項３】
前記規制部材が、複数の前記保持部の基部同士を連結する基部連結部材であることを特徴とする請求項２に記載の換気衣服。
【請求項４】
前記規制部材が、複数の前記保持部の表部同士を連結する表部連結部材であることを特徴とする請求項２に記載の換気衣服。
【請求項５】
前記衣服本体部の裏面のうち前記開口部の周辺に、前記衣服本体部の裏面側に空間を設けるための凸状部材を備えることを特徴とする請求項１ないし４のいずれか１項に記載の換気衣服。
【請求項６】
前記装着部と前記衣服本体部の表面とが着脱手段によって着脱可能とされていることを特徴とする請求項１ないし５のいずれか１項に記載の換気衣服。
【請求項７】
前記送風装置を使用しないときは前記装着部の代わりにポケット部を取り付け可能としたことを特徴とする請求項６に記載の換気衣服。
【請求項８】
前記送風装置を使用しないときは前記装着部の代わりに継当て部を取り付け可能としたことを特徴とする請求項６に記載の換気衣服。
【請求項９】
前記開口部にメッシュ部材を設けたことを特徴とする請求項１ないし８のいずれか１項に記載の換気衣服。
【請求項１０】
前記送風装置の空気導入口が露出されていることを特徴とする請求項１ないし９のいずれか１項に記載の換気衣服。
【発明の詳細な説明】
【技術分野】
【０００１】
本発明は、衣服内の空気を換気することによって衣服内に空気を流通させて、衣服内の温度を下げる換気衣服に関する。
【背景技術】
【０００２】
従来、着用者の過剰発汗を抑制することにより、着用者の熱疲労を軽減させ熱射病を予防することができる衣料用冷却装置及び衣料品を提供することを目的として、例えば、実用新案登録第３１７３１９８号公報に、所定の平面形状を呈するとともに通気孔を有する袋体と、前記袋体を衣服本体部に着脱可能に装着するための装着手段と、前記袋体の内部に外気を導入するための外気導入手段と、を備え、前記装着手段により前記袋体が前記衣服本体部に装着された状態において前記外気導入手段により前記袋体の内部に外気が導入され、この導入された外気が前記袋体の前記通気孔を介して前記衣服本体部側に排出されるように構成されている、衣料用冷却装置及び衣料品が開示されている。
【先行技術文献】
【特許文献】
【０００３】
【特許文献１】実用新案登録第３１７３１９８号公報
【発明の概要】
【発明が解決しようとする課題】
【０００４】
しかし、特許文献１に開示されている衣料用冷却装置及び衣料品では、袋体が固定されていないため、袋体及び袋体の中に入れられた外気導入手段が安定せず、作業中にその位置がずれてしまい、作業の邪魔になる又は作業者が作業に集中できなくなるというおそれがあった。また、袋体の代わりに衣料品にポケット状のものを設け、その中に外気導入手段を入れることも考えられるが、そうすると外気導入手段を使用しないときの衣料品の使い勝手が悪くなってしまう。
【０００５】
本発明は、上記の点に鑑みなされたもので、送風装置を装着する装着部を、送風装置の端部を保持する複数の保持部とすることで、送風装置を衣服本体部に固定して、作業者が作業を円滑にすることができる換気衣服を提供することを目的とする。
【０００６】
また、本発明の他の目的は、送風装置を使用しないときにも着用可能な換気衣服を提供することである。
【課題を解決するための手段】
【０００７】
本発明の換気衣服は、
衣服本体部内の空気を換気する送風装置と、前記衣服本体部の表面に設けられた前記送風装置を装着する装着部と、前記送風装置からの空気を流通させるための前記衣服本体部の表面と裏面とを連通させる開口部と、を備える換気衣服において、
前記装着部が、
前記開口部の周囲に設けられ、前記送風装置の端部を保持する複数の保持部を備えることを特徴とする。
【０００８】
本発明の換気衣服によれば、送風装置を装着する装着部が、開口部の周囲に設けられる、送風装置の端部を保持する複数の保持部を備える。これにより、送風装置が装着部によって衣服本体部に固定され、作業の途中に動くことがない。また、複数の保持部を用いるため、個々の保持部を小さくすることができる。このため、送風装置を使用しないときであっても、装着部が邪魔になりづらく、作業を円滑に行なうことができる。
【０００９】
本発明の換気衣服の好ましい例は、
複数の前記保持部同士の間隔が開かないように規制する規制部材を備える。
【００１０】
本発明の換気衣服の好ましい例は、
前記規制部材が、複数の前記保持部の基部同士を連結する基部連結部材であることを特徴とする。
【００１１】
本発明の換気衣服の好ましい例は、
前記規制部材が、複数の前記保持部の表部同士を連結する表部連結部材であることを特徴とする。
【００１２】
本発明の換気衣服の好ましい例によれば、複数の保持部同士の間隔が開かないように規制する規制部材を備えるため、作業者が激しい動きをしても送風装置が落下することがない。
【００１３】
本発明の換気衣服の好ましい例は、
前記衣服本体部の裏面のうち前記開口部の周辺に、前記衣服本体部の裏面側に空間を設けるための凸状部材を備えることを特徴とする。
【００１４】
本発明の換気衣服の好ましい例によれば、衣服本体部の裏面のうち開口部の周辺に、装着者の体又は衣服本体部の下に着用されている衣服との間に空間を設けるための凸状部材を備えているため、送風装置からの空気の流れが滑らかになされ、換気効果を増大させることができる。
【００１５】
本発明の換気衣服の好ましい例は、
前記装着部と前記衣服本体部の表面とが着脱手段によって着脱可能とされていることを特徴とする。
【００１６】
本発明の換気衣服の好ましい例によれば、装着部と衣服本体部の表面とが着脱手段によって着脱可能とされているため、送風装置を使用しないときに不必要な装着部を取外すことができる。
【００１７】
本発明の換気衣服の好ましい例は、
前記送風装置を使用しないときは前記装着部の代わりにポケット部を取り付け可能としたことを特徴とする。
【００１８】
本発明の換気衣服の好ましい例は、
前記送風装置を使用しないときは前記装着部の代わりに継当て部を取り付け可能としたことを特徴とする。
【００１９】
これらの本発明の換気衣服の好ましい例によれば、送風装置を使用しないときは、装着部の代わりにポケット部又は継当て部を取り付け可能としてるため、換気衣服を１年中使用することができる。
【００２０】
本発明の換気衣服の好ましい例は、
前記開口部にメッシュ部材を設けたことを特徴とする。
【００２１】
本発明の換気衣服の好ましい例によれば、開口部にメッシュ部材を設けているため、開口部の強度を向上させることができるとともに、送風装置を取外したときの換気衣服の意匠性を向上させることができる。
【００２２】
本発明の換気衣服の好ましい例は、
前記送風装置の空気導入口が露出されていることを特徴とする。
【００２３】
本発明の換気衣服の好ましい例によれば、空気導入口が露出されているため、空気導入口の前方に空気の抵抗となるものがなく、効率的に空気を衣服本体部内に導入することができる。
【発明の効果】
【００２４】
以上、説明したように、本発明の換気衣服によれば、送風装置を装着する装着部を、送風装置の端部を保持する複数の保持部とすることで、送風装置を衣服本体部に固定することができ、作業者が作業を円滑にすることができる。
【００２５】
また、本発明の換気衣服の他の効果として、送風装置を使用しないときにも着用可能な換気衣服とすることができる。
【図面の簡単な説明】
【００２６】
【図１】本発明の一実施形態に係る換気衣服を説明する図である。
【図２】送風装置、装着部、及び開口部を説明する図である。
【図３】送風装置を装着部に装着する方法を説明する図である。
【図４】送風装置が装着部に装着された状態を説明する図である。
【図５】凸状部材を説明する図である。
【図６】ポケット部を説明する図である。
【図７】継当て部を説明する図である。
【図８】本発明の他の実施形態に係る換気衣服を説明する図である。
【発明を実施するための形態】
【００２７】
以下、本発明の換気衣服の実施の形態について、添付図面を参照して詳細に説明する。
【００２８】
図１ないし図５に示すように、本実施形態の換気衣服１０は、衣服本体部１１と、開口部２０と、送風装置３０と、装着部４０と、着脱手段５０と、凸状部材２２とを備える。
【００２９】
衣服本体部１１は、公知の作業着等の衣服が採用される。衣服本体部１１の前身頃１２には、左右一対の開口部２０が設けられる。この開口部２０は、送風装置３０から送出された空気を衣服本体部１１の内部に送り込むために設けられた、衣服本体部１１の表面１４と裏面１５とを連通させる孔である。また、開口部２０には、メッシュ部材２１が設けられ、送風装置３０からの空気の流れを阻害せずに、開口部２０の強度を向上させている。なお、作業者の冷却には、送風装置３０から開口部２０を通じて衣服本体部１１の内部に送られた空気を襟元等から排出させるような、衣服本体部１１内での空気の流れを作ることが好ましい。このために、衣服本体部１１はある程度空気の通過を制限するような素材で構成されることが好ましい。
【００３０】
送風装置３０は、開口部２０を通じて外気を衣服本体部１１の中に送り込むもので、略直方体の筐体３１と、操作ボタン３２と、空気導入口３３と、空気排出口３４と、ファン（図示せず）と、バッテリ（図示せず）とを備える。
【００３１】
装着部４０は、送風装置３０を衣服本体部１１に装着するために設けられるもので、本実施形態の換気衣服１０では、衣服本体部１１の前身頃１２の表面１４に設けられる。また、装着部４０は、保持部４１と、規制部材４５，４６とを備える。
【００３２】
保持部４１は、送風装置３０の筐体３１の両端部３５を挟んで保持するために、開口部２０を挟んだ対面となる両側に設けられたものであり、本実施形態では２つ設けられる。また、保持部４１は、箱体の１つの面を取除いた断面コ字状をなしており、その開口側４２が互いに向かい合わされている。そして、向かい合っている保持部４１の表部４４側を左右方向に開き、そこに送風装置３０の端部３５を入れ（図３参照）、次に向かい合っている保持部４１を閉じることで、送風装置３０を左右から挟んで保持するのである（図４参照）。この保持部４１は人の力によってある程度変形しつつ、送風装置３０を保持できる硬さを有する材質が好ましく、例えば、皮革、合成樹脂、厚手の布等を採用することができる。
【００３３】
なお、本実施形態の換気衣服１０では、保持部４１が左右一対の箱体から構成されているが、上下一対としてもよく、さらには、保持部４１を分割して４つ以上にして、送風装置３０の筐体３１の四隅又は周縁を挟んで保持するようにしてもよい。また、送風装置が正面視で円形の場合は、例えば保持部４１を３つにして送風装置の円周縁を１２０度間隔で保持するようにしてもよい。
【００３４】
規制部材は、２つの保持部４１が送風装置３０を左右から挟んで保持しているときに、保持部４１が開かれて送風装置３０が落下するのを防止するために設けられるもので、基部連結部材４５と、表部連結部材４６とを備える。基部連結部材４５は、２つの保持部４１の基部４３を連結することで保持部４１が左右方向に開くのを規制している板状部材である。この基部連結部材４５としては、ある程度の硬さと可撓性を有することが好ましく、例えば合成樹脂の板等が採用できる。
【００３５】
表部連結部材４６は、保持部４１の表部４４同士を連結して箱体が左右方向に開くのを防止するとともに、送風装置３０の前面を押える帯状部材である。また、表部連結部材４６の裏側と箱体の表部４４とは、スナップボタン４７、面ファスナ等で留められる。なお、規制部材としては、基部連結部材４５又は表部連結部材４６のいずれかのみを使用することもできる。さらに、保持部４１が開くことを防止できるものであれば、規制部材として様々な態様のものが採用され得る。
【００３６】
なお、保持部４１の表部４４及び表部連結部材４６は、送風装置３０の空気導入口３３及び操作ボタン３２の表面を覆わないように構成されることが好ましい。これは、空気導入口３３の前に何らかの素材があると、空気の流れが妨げられ、送風装置３０の本来の性能が発揮しづらくなるからである。また、操作ボタン３２が覆われると、作業者が送風装置３０の操作をしづらくなるからである。
【００３７】
着脱手段５０は、装着部４０を衣服本体部１１の表面１４に着脱可能とするものであり、面ファスナ５０、スナップボタン等が採用できる。本実施形態の換気衣服１０では、面ファスナ５０の一方を衣服本体部１１の表面１４に貼設し、他方を基部連結部材４５の裏側に貼設している。なお、基部連結部材４５を備えない構成では、面ファスナ５０は、保持部４１の基部４３に設けられる。
【００３８】
凸状部材２２は、衣服本体部１１の裏面１５のうち開口部２０の周辺に設けられる部材であり、開口部２０から流入してくる空気の流れを妨げないよう、十字側をなして衣服本体部１１の裏面１５側に膨らんでいる。そして、その膨らみで、衣服本体部１１の裏面１５と装着者の体又は衣服本体部１１の下に着用されている衣服との間に空間を設け、開口部２０から流入してくる空気が効率的に衣服本体部１１の内部を流通するようにしている。
【００３９】
また、図６に示すように、上記の着脱手段５０である面ファスナ５０を設けたポケット部６０を備えることもできる。これは、作業者の冷却が必要ない環境では、装着部４０を取外して、代わりにポケット部６０を装着することができるようにしたものである。なお、既に述べたように、衣服本体部１１はある程度空気の通過を制限するような素材で構成されることが好ましく、ポケット部６０を装着した場合、防風着としての使用もできる。
【００４０】
また、図７に示すような継当て部６１を取付けて、使用する方法も可能である。このようにすることで、送風装置３０を使用しないときの開口部２０付近の突出をなくすことができる。
【００４１】
さらに、本実施形態の換気衣服１０では、装着部４０、ポケット部６０、及び継当て部６１のいずれも装着しない使用方法もできる。これは、開口部２０にメッシュ部材２１が設けられているため、開口部２０が広がることを防止できるとともに意匠性に優れ、さらに、その下に着用している他の衣服等も見え難くなるためである。
【００４２】
さらに、本発明の他の実施形態に係る換気衣服１１０として、図８に示すように、装着部４０及び送風装置３０を、衣服本体部１１１の後身頃１１３の表面１４に設けることもできる。この場合、開口部２０も衣服本体部１１１の後身頃１１３に設けられていることはもちろんである。
【００４３】
以上、説明したように、本実施形態の換気衣服によれば、装着部４０によって送風装置３０をその広い面に沿った方向の両側から挟んで保持するため、送風装置３０が固定され不用意に動くことがなく、作業者が作業に集中することができる。また、装着部４０が一対の箱体を主部材としているため、その構成を簡素なものとすることができる。
【００４４】
また、基部連結部材４５及び表部連結部材４６によって、装着部４０の保持部４１が開いて送風装置３０が落下することを防止しているため、保持部４１をある程度変形する素材で作ることができ、作業者が違和感を覚えにくい。
【００４５】
また、保持部４１の表部４４及び表部連結部材４６は、送風装置３０の一部しか覆っておらず、空気導入口３３は露出されている。このため、空気導入口３３へ空気を導入する際に、空気の流れの抵抗となるようなものが存在せず、より多くの空気を衣服本体部１１の中に送ることができる。また、同様に、操作ボタン３２も露出されているため、作業者が簡単かつ確実に送風装置３０を操作することができる。。
【００４６】
また、開口部２０の裏面１５に凸状部材２２を設けたことによって、衣服本体部１１の裏面１５と、装着者の体又は前記衣服本体部１１の下に着用されている衣服との間に空間が形成され、送風装置３０から送られてきた空気を効率よく衣服本体部１１内に流通させることができる。
【００４７】
また、開口部２０にメッシュ部材２１を設けているため、開口部２０の強度及び意匠性を向上させることができる。
【００４８】
また、面ファスナ５０で装着部４０を着脱可能とし、装着部４０の代わりにポケット部６０又は継当て部６１を取り付け可能としたため、夏季以外においても着用することができる。
【００４９】
なお、上述の換気衣服は、本発明の例示であり、発明の趣旨を逸脱しない範囲において、その構成を適宜変更することができる。
【符号の説明】
【００５０】
１０，１１０・・換気衣服、１１，１１１・・衣服本体部、１２・・前身頃、１１３・・後身頃、１４・・表面、１５・・裏面、
２０・・開口部、２１・・メッシュ部材、２２・・凸状部材、
３０・・送風装置、３１・・筐体、３２・・操作ボタン、３３・・空気導入口、３４・・空気排出口、３５・・端部、
４０・・装着部、４１・・保持部、４２・・開口側、４３・・基部、４４・・表部、４５・・基部連結部材、４６・・表部連結部材、４７・・スナップボタン、
５０・・着脱手段（面ファスナ）、
６０・・ポケット部、６１・・継当て部、
【図１】
2019035178.tif 000003
【図２】
2019035178.tif 000004
【図３】
2019035178.tif 000005
【図４】
2019035178.tif 000006
【図５】
2019035178.tif 000007
【図６】
2019035178.tif 000008
【図７】
2019035178.tif 000009
【図８】
2019035178.tif 000010